(57)【要約】　　　（修正有）【課題】　コーヒー豆の抽出液を活用した、衛生用紙及び該衛生用紙の製造方法を提供し、また該衛生用紙を使用した吸収体及び該吸収体の製造方法を提供する。【解決手段】　コーヒー豆の抽出液の濃縮液を湿紙に塗布し、乾燥する衛生用紙の製造方法であり、また、第一の衛生用紙の上に、吸水性材料及び高吸水性樹脂を配置して、吸水性材料層を形成し、該吸水性材料層の上に、第二の衛生用紙を配置し、ここで、第一又は第二の衛生用紙の少なくとも何れか一方にコーヒー豆の抽出液の濃縮液の乾燥物が含有されている。衛生用紙はトイレットペーパー、ティッシュペーパー、化粧紙、紙ナプキン、ちり紙、紙綿、紙タオル又は便座シート等に使用することができ、また、吸収体は紙おむつ、動物用紙おむつ、生理用ナプキン、動物用生理用ナプキン、乳パッド、汗パッド及び動物用シーツ等に使用できる。【選択図】　　図１
2004137661.tif 000002
【特許請求の範囲】
【請求項１】
　コーヒー豆の抽出液を濾過し、この濾液を濃縮して製造された濃度がＢｒｉｘ４．０パーセント以上のコーヒー豆の抽出液の濃縮液を、湿紙に塗布し、このコーヒー豆の抽出液の濃縮液が塗布された湿紙を乾燥することを特徴とする衛生用紙の製造方法。
【請求項２】
　コーヒー豆の抽出液を濾過し、この濾液を濃縮して製造された濃度がＢｒｉｘ４．０パーセント以上のコーヒー豆の抽出液の濃縮液を、湿紙に塗布し、このコーヒー抽出液の濃縮液が塗布された湿紙に、紙力増強剤を塗布し、次いで、この紙力増強剤が塗布された湿紙を乾燥することを特徴とする衛生用紙の製造方法。
【請求項３】
　コーヒー豆の抽出液を濾過し、この濾液を濃縮して製造された濃度がＢｒｉｘ４．０パーセント以上のコーヒー豆の抽出液の濃縮液及び紙力増強剤を含有する溶液を湿紙に塗布し、この塗布された湿紙を乾燥することを特徴とする衛生用紙の製造方法。
【請求項４】
　紙力増強剤を湿紙に塗布し、紙力増強剤が塗布された湿紙に、コーヒー豆の抽出液を濾過し、この濾液を濃縮して製造された濃度がＢｒｉｘ４．０パーセント以上のコーヒー豆の抽出液の濃縮液を塗布し、次いでこのコーヒー豆の抽出液の濃縮液が塗布された湿紙を乾燥することを特徴とする衛生用紙の製造方法。
【請求項５】
　抄紙され、又は脱水された湿紙に、コーヒー豆の抽出液を濾過し、この濾液を濃縮して製造された濃度がＢｒｉｘ４．０パーセント以上のコーヒー豆の抽出液の濃縮液を噴霧し、このコーヒー豆の抽出液の濃縮液が噴霧された湿紙を乾燥することを特徴とする衛生用紙の製造方法。
【請求項６】
　コーヒー豆の抽出液を濾過し、この濾液を濃縮して製造されたコーヒー豆の抽出液の濃縮液が希釈されて、濃度がＢｒｉｘ４．０パーセント以上のコーヒー抽出濃縮液含有溶液を、湿紙に塗布し、この塗布された湿紙を乾燥することを特徴とする衛生用紙の製造方法。
【請求項７】
　コーヒー豆の抽出液を濾過し、この濾液を濃縮して製造されたコーヒー豆の抽出液の濃縮液が希釈されて、濃度がＢｒｉｘ４．０パーセント以上のコーヒー豆の抽出液の濃縮液含有溶液を湿紙に塗布し、この塗布された湿紙に、紙力増強剤を塗布し、次いで、この紙力増強剤が塗布された湿紙を乾燥することを特徴とする衛生用紙の製造方法。
【請求項８】
　コーヒー豆の抽出液を濾過し、この濾液を濃縮して製造されたコーヒー豆の抽出液の濃縮液が希釈されて、濃度がＢｒｉｘ４．０パーセント以上のコーヒー抽出濃縮液含有溶液及び紙力増強剤を湿紙に塗布し、この塗布された湿紙を乾燥することを特徴とする衛生用紙の製造方法。
【請求項９】
　紙力増強剤を湿紙に塗布し、紙力増強剤が塗布された湿紙に、コーヒー豆の抽出液を濾過し、この濾液を濃縮して製造されたコーヒー豆の抽出液の濃縮液が希釈されて、濃度がＢｒｉｘ４．０パーセント以上のコーヒー豆の抽出液の濃縮液含有溶液を塗布し、次いでこのコーヒー豆の抽出液の濃縮液含有溶液が塗布された湿紙を乾燥することを特徴とする衛生用紙の製造方法。
【請求項１０】
　抄紙され又は更に脱水されて搬送される湿紙に、コーヒー豆の抽出液を濾過し、この濾液を濃縮して製造されたコーヒー豆の抽出液の濃縮液が希釈されて、濃度がＢｒｉｘ４．０パーセント以上のコーヒー豆の抽出液の濃縮液含有溶液を噴霧し、この噴霧された湿紙を乾燥することを特徴とする衛生用紙の製造方法。
【請求項１１】
　コーヒー豆の抽出液を濾過し、この濾液を濃縮して製造されたコーヒー豆の抽出液の濃縮液が希釈されて、濃度がＢｒｉｘ４．０パーセント以上のコーヒー豆の抽出液の濃縮液含有溶液が、一種以上のコーヒー豆の抽出液の濃縮液の希釈溶液を含むことを特徴とする請求項６乃至１０の何れか一項に記載の衛生用紙の製造方法。
【請求項１２】
　コーヒー豆の抽出液を濾過し、この濾液を濃縮して製造されたコーヒー豆の抽出液の濃縮液を希釈して、濃度がＢｒｉｘ４．０パーセント以上のコーヒー豆の抽出液の濃縮液含有溶液を製造し、この濃度がＢｒｉｘ４．０パーセント以上のコーヒー豆の抽出液の濃縮液の含有量より少ない含有量で一種以上の茶葉若しくは茶殻についての抽出液又は茶殻残留廃液を濾過し、この濾液を濃縮した濃度がＢｒｉｘ４．８パーセント以上のお茶の濃縮液を含有する溶液であることを特徴とする請求項６乃至１０の何れか一項に記載の衛生用紙の製造方法。
【請求項１３】
　コーヒー豆の抽出液を濾過し、この濾液を濃縮して製造された濃度がＢｒｉｘ４．０パーセント以上のコーヒー豆の抽出液の濃縮液は、焙煎されたコーヒー豆及び/又は焙煎されたコーヒー豆の抽出残渣の１重量部を１０重量部以上の常温以上の水で抽出して、得られたコーヒー豆の抽出液を濾過し、得られた濾液を濃縮させた濃縮物であることを特徴とする請求項１乃至５の何れか一項に記載の衛生用紙の製造方法。
【請求項１４】
　コーヒー豆の抽出液を濾過し、この濾液を濃縮して製造された濃度がＢｒｉｘ４．０パーセント以上のコーヒー豆の抽出液の濃縮液が、焙煎されたコーヒー豆及び/又は焙煎されたコーヒー豆の抽出残渣の１重量部を９５℃以上の温度の１５重量部以下の熱水で抽出し、このコーヒー豆の抽出液を濾過して、コーヒー豆の抽出液中の、コーヒー豆の抽出残渣を分離し，得られた濾液を蒸発濃縮して製造することを特徴とする請求項１乃至５の何れか一項に記載の衛生用紙の製造方法。
【請求項１５】
　コーヒー豆の抽出液を濾過し、この濾液を濃縮して製造された濃度がＢｒｉｘ４．０パーセント以上のコーヒー豆の抽出液の濃縮液が、焙煎されたコーヒー豆及び/又は焙煎されたコーヒー豆の抽出残渣の１重量部を９５℃以上の温度の１５重量部以下の熱水中で圧搾下に抽出し、この抽出液を濾過して、焙煎コーヒー豆の抽出残渣を分離し，得られた濾液を濃縮して製造されることを特徴とする請求項１乃至５の何れか一項に記載の衛生用紙の製造方法。
【請求項１６】
　第一の衛生用紙の上に、吸水性材料及び高吸水性樹脂を配置して、吸水性材料層を、前記第一の衛生用紙の上に形成し、この形成された吸水性材料層の上に、第二の衛生用紙を配置して吸収体を製造する吸収体の製造方法において、第一の衛生用紙は、コーヒー豆の抽出液を濾過し、この濾液を濃縮して製造された濃度がＢｒｉｘ４．０パーセント以上のコーヒー豆の抽出液の濃縮液を塗布し、乾燥して製造されたコーヒー豆の抽出液の濃縮液の乾燥物を含有する衛生用紙であることを特徴とする吸収体の製造方法。
【請求項１７】
　第一の衛生用紙の上に、吸水性材料及び高吸水性樹脂を配置して、吸水性材料層を、前記第一の衛生用紙の上に形成し、この形成された吸水性材料層の上に、第二の衛生用紙を配置して吸収体を製造する吸収体の製造方法において、第二の衛生用紙は、コーヒー豆の抽出液を濾過し、この濾液を濃縮して製造された濃度がＢｒｉｘ４．０パーセント以上のコーヒー豆の抽出液の濃縮液を塗布し、乾燥して製造されたコーヒー豆の抽出液の濃縮液の乾燥物を含有する衛生用紙であることを特徴とする吸収体の製造方法。
【請求項１８】
　第一の衛生用紙の上に、吸水性材料及び高吸水性樹脂を配置して、吸水性材料層を、前記第一の衛生用紙の上に形成し、この形成された吸水性材料層の上に、第二の衛生用紙を配置して吸収体を製造する吸収体の製造方法において、第一及び第二の衛生用紙が、共に、コーヒー豆の抽出液を濾過し、この濾液を濃縮して製造された濃度がＢｒｉｘ４．０パーセント以上のコーヒー豆の抽出液の濃縮液を塗布し、乾燥して製造されたコーヒー豆の抽出液の濃縮液の乾燥物を含有する衛生用紙であることを特徴とする吸収体の製造方法。
【請求項１９】
　第一の衛生用紙の上に形成される吸水性材料層の吸水性材料の一部には、コーヒー豆の抽出液若しくはお茶、又はコーヒー豆の抽出液を濾過し、この濾液を濃縮して製造された濃度がＢｒｉｘ４．０パーセント以上のコーヒー豆の抽出液の濃縮液、又は一種以上の茶葉若しくは茶殻についての抽出液又は茶殻残留廃液を濾過し、この濾液を濃縮して製造された濃度がＢｒｉｘ４．８パーセント以上のお茶の濃縮液を付着していることを特徴とする請求項１６乃至１８の何れか一項に記載の吸収体の製造方法。
【請求項２０】
　コーヒー豆の抽出液の濃縮液の乾燥物を含有する第一及び／又は第二の衛生用紙が、コーヒー豆の抽出液を濃縮して製造された濃度がＢｒｉｘ４．０パーセント以上のコーヒー豆の抽出液の濃縮液及びコーヒー豆の抽出液を濃縮して製造されたコーヒー豆の抽出液の濃縮液が希釈されて、濃度がＢｒｉｘ４．０パーセント以上のコーヒー豆の抽出液の濃縮液含有溶液を湿紙に塗布し、この塗布された湿紙を乾燥することにより製造されたものであることを特徴とする請求項１６乃至１８の何れか一項に記載の吸収体の製造方法。
【請求項２１】
　コーヒー豆の抽出液の濃縮液含有溶液の乾燥物を含有する第一及び/又は第二の衛生用紙が、コーヒー豆の抽出液を濾過し、この濾液を濃縮して製造されたコーヒー豆の抽出液の濃縮液が希釈されて、濃度がＢｒｉｘ４．０パーセント以上のコーヒー豆の抽出液の濃縮液含有溶液を塗布された湿紙に、紙力増強剤を塗布し、次いでこの紙力増強剤が塗布された湿紙を乾燥することにより製造されたものであることを特徴とする請求項１６乃至１８の何れか一項に記載の吸収体の製造方法。
【請求項２２】
　コーヒー豆の抽出液を濾過し、この濾液を濃縮して製造されたコーヒー豆の抽出液の濃縮液が希釈されて製造された、濃度がＢｒｉｘ４．０パーセント以上のコーヒー豆の抽出液の濃縮液含有溶液の乾燥物を含有する第一及び/又は第二の衛生用紙が、さらに、コーヒー豆の抽出液を濾過し、この濾液を濃縮して製造された濃度がＢｒｉｘ４．０パーセント以上のコーヒー豆の抽出液の濃縮液、又はこの濃縮液が希釈されて、製造された濃度がＢｒｉｘ４．０パーセント以上のコーヒー豆の抽出液の濃縮液含有溶液及び紙力増強剤を含有する溶液を塗布されて、次いで乾燥することにより製造されたものであることを特徴とする請求項１６乃至１８の何れか一項に記載の吸収体の製造方法。
【請求項２３】
　コーヒー豆の抽出液を濾過し、この濾液を濃縮して製造された濃度がＢｒｉｘ４．０パーセント以上のコーヒー豆の抽出液の濃縮液が、焙煎されたコーヒー豆の抽出液、焙煎されたコーヒー豆の抽出残渣の抽出液又は焙煎されたコーヒー豆の抽出残渣の残留廃液又はこれら二以上の混合物を濾過し、この濾液を濃縮した濃縮物であることを特徴とする請求項１６乃至１８の何れか一項に記載の吸収体の製造方法。
【請求項２４】
　吸水性材料が、紙おむつ及び／又は紙おむつ廃材の粉砕物又はそれらの分級産物、生理用ナプキン及び／又は生理用ナプキン廃材の粉砕物又はそれらの分級産物、乳バンド及び／又は乳バンド廃材の粉砕物又はそれらの分級産物、失禁パッド及び／又は失禁パッド廃材の粉砕物又はそれらの分級産物、汗パッド及び／又は汗パッド廃材の粉砕物又はそれらの分級産物、動物用シーツ及び／又は動物用シーツ廃材の粉砕物又はそれらの分級産物、木材パルプの粉砕物、古紙パルプの粉砕物、木粉、紙粉、屑紙の粉砕物、チタン紙の屑紙の粉砕物若しくはパンチ屑の粉砕物又はこれらの二以上の混合物であることを特徴とする請求項１６乃至１８の何れか一項に記載の吸収体の製造方法。
【発明の詳細な説明】
【技術分野】
【０００１】
　本発明は、衛生用紙及びその製造方法に関し、特に、トイレットペーパー、ティッシュペーパー、化粧紙、紙ナプキン、ちり紙、紙綿、紙タオル又は便座シート等の衛生用紙及びその製造方法に関する。また、本発明は、例えば、紙おむつ廃材、生理用ナプキン廃材等の有機物廃材を利用した衛生用品、特に、トイレットペーパー、ティッシュペーパー、寝具用シーツ、マスク、アイマスク、座席用ヘッドカバー、枕カバー、おむつ、紙おむつ、便座シーツ及び動物用紙おむつ、生理用ナプキン、動物用生理用ナプキン、乳パッド、汗パッド、又は失禁パッド、動物用シーツ、鮮魚輸送用吸水体及び野菜輸送用吸水体等の吸収体に使用される吸収性を有する衛生用品、即ち吸収体に使用される衛生用紙及び該衛生用紙の製造方法に関する。
　また、本発明は、長時間使用して衛生状態を保持することが要求される使い捨ての衛生用品用の衛生用紙及び該衛生用紙の製造方法に関する。
【背景技術】
【０００２】
　一般に、衛生用紙は、トイレットペーパー、ティッシュペーパー、化粧紙、紙ナプキン、ちり紙、紙綿、紙タオル又は便座シートとして使用されており、また、寝具用シーツ、紙おむつ、生理用ナプキン、乳パッド、汗パッド、失禁パッド、おむつ及びペット用シーツなどの吸水紙としても使用されている。これらに使用される衛生用紙は、柔軟性、吸水性及び強度を有し、清潔であることが必要とされている。吸収体に使用される衛生用紙の場合にも、例えば、寝具用シーツは、ベッドや敷布団の上に敷いて、ベッドや布団の耐久性を保ち、ベッドや布団を清潔に維持するために用いられるから、この場合にも、衛生用紙には、柔軟性、吸水性及び強度を有し、清潔であることが要求される。
【０００３】
　例えば、就寝中にも、人間の皮膚からは、汗以外に水分が絶えず外に排泄されており、これらの水分は、寝床や寝衣に吸い取られるので、例えば、寝具用シーツに使用される衛生用紙には、さらに保温性及び適度の吸湿性を備えることが要求される。
　また、寝具用シーツや寝具は、吸湿性や吸水性の高い繊維で形成されるので、皮膚表面から脱落した角化した角質層や皮膚に付着した塵に皮膚の皮脂や汗などによる垢などが付着して、汚染され易く、病原菌が増殖することとなり、特に、蓐瘡等の場合に問題である。
　そこで、従来の寝具用シーツや寝具については、常に清潔さを保つために、頻繁に取り替えて、繰り返し使用できるように、洗濯に強い木綿等が素材として使用されている。
【特許文献１】特開平１０−３３７２３８号公報
【特許文献２】特開２０００-６０９０８号公報
【発明の開示】
【発明が解決しようとする課題】
【０００４】
　そこで、使い捨てタイプの寝具用シーツや寝具に使用される吸収体は、使用時においても、長時間に亙って清潔さを保つことができるように、本出願人は、飲料に供されるお茶の抽出残渣である茶殻の抽出液が、殺菌性を有する点に着目して、茶殻の抽出液の乾燥物を含む衛生用紙を有する吸収体を提案した(特開平１０−３３７２３８号公報及び特開２０００-６０９０８号公報参照)。
【０００５】
　しかし、本発明者は、焙煎されたコーヒー豆のコーヒー豆の抽出残渣の抽出液の乾燥物をは、連鎖球菌及びレジオネラ菌に対しては、菌を接種後７２時間経っても活性を有するが、大腸菌、緑膿菌及び黄色ブドウ球菌に対する活性は、低いことが分かった。また、本発明者は、緑茶、烏龍茶又は紅茶等のお茶の抽出残渣である茶殻の抽出液の乾燥物が、黄色ブドウ球菌、連鎖球菌及びレジオネラ菌に対しては、菌を接種後７２時間経っても活性を有するが、大腸菌及び緑膿菌に対する活性は、低いことが分かった。
【０００６】
　一方、缶入りのコーヒー豆の抽出液の製造業から排出される、焙煎されたコーヒー豆の抽出残渣及び該抽出残渣に含有され、該抽出残渣から滲出つするコーヒー豆の抽出液の残留廃液、お茶の浸出粕の茶殻、及び該茶殻に残留して茶殻から滲出する茶殻残留廃液は膨大な量に上っている。しかも、コーヒー豆の抽出液は、かなりの量のタンニン類が含まれているために、堆肥等に利用するにも、タンニン類等を含み、その処理が難しく、問題とされている。
　しかも、茶殻残留廃液にも、タンニン類が含まれているために、その侭廃棄できず、廃棄するには、活性汚泥法等により無害化処理をしなければならない。また、活性汚泥法により発生する沈殿物は、その量が膨大であるにも拘わらず、用途が乏しく、専ら焼却処理によっており、問題とされている。
　本発明は、茶殻の抽出液の乾燥物を含む衛生用紙についての大腸菌、緑膿菌、黄色ブドウ球菌、レジオネラ菌又は連鎖球菌に対する活性に係る問題点を解決すると共に、缶入りのお茶及びパック入りのお茶の製造工程で発生する茶殻及び茶殻残留廃液の処理を目的としている。
【課題を解決するための手段】
【０００７】
　本発明者は、焙煎されたコーヒー豆若しくは焙煎されたコーヒー豆の抽出残渣、緑茶若しくは緑茶の茶殻、烏龍茶若しくは烏龍茶の茶殻又は紅茶若しくは紅茶の茶殻についての浸出液の濃縮物を含浸させた衛生用紙が、大腸菌、緑膿菌、黄色ブドウ球菌、レジオネラ菌及び連鎖球菌の増殖を７２時間以上に亙って阻害することを発見して本発明に至った。
　本発明は、これら焙煎されたコーヒー豆若しくは焙煎されたコーヒー豆の抽出残渣についての抽出液や茶殻の抽出液を濃縮して、抽出液中の溶解成分の量を増加させることにより、黄色ブドウ球菌、連鎖球菌及びレジオネラ菌に対する活性を増強すると共に、大腸菌及び緑膿菌に対する活性をも増強した衛生用紙及び吸収体を提供することにより、これらコーヒー豆の抽出残渣及び茶殻の有効利用を図ることを目的としている。
【０００８】
　即ち、本発明は、コーヒー豆の抽出液を濾過し、この濾液を濃縮して製造された濃度がＢｒｉｘ４．０パーセント以上のコーヒー豆の抽出液の濃縮液を、湿紙に塗布し、このコーヒー豆の抽出液の濃縮液が塗布された湿紙を乾燥することを特徴とする衛生用紙の製造方法にあり、また、本発明は、コーヒー豆の抽出液を濾過し、この濾液を濃縮して製造された濃度がＢｒｉｘ４．０パーセント以上のコーヒー豆の抽出液の濃縮液を、湿紙に塗布し、このコーヒー抽出液の濃縮液が塗布された湿紙に、紙力増強剤を塗布し、次いで、この紙力増強剤が塗布された湿紙を乾燥することを特徴とする衛生用紙の製造方法にあり、さらに、本発明は、コーヒー豆の抽出液を濾過し、この濾液を濃縮して製造された濃度がＢｒｉｘ４．０パーセント以上のコーヒー豆の抽出液の濃縮液及び紙力増強剤を含有する溶液を湿紙に塗布し、この塗布された湿紙を乾燥することを特徴とする衛生用紙の製造方法にあり、さらにまた、本発明は、紙力増強剤を湿紙に塗布し、紙力増強剤が塗布された湿紙に、コーヒー豆の抽出液を濾過し、この濾液を濃縮して製造された濃度がＢｒｉｘ４．０パーセント以上のコーヒー豆の抽出液の濃縮液を塗布し、次いでこのコーヒー豆の抽出液の濃縮液が塗布された湿紙を乾燥することを特徴とする衛生用紙の製造方法にあり、さらに加えて、本発明は、抄紙され、又は脱水された湿紙に、コーヒー豆の抽出液を濾過し、この濾液を濃縮して製造された濃度がＢｒｉｘ４．０パーセント以上のコーヒー豆の抽出液の濃縮液を噴霧し、このコーヒー豆の抽出液の濃縮液が噴霧された湿紙を乾燥することを特徴とする衛生用紙の製造方法にある。
【０００９】
　そしてまた、本発明は、コーヒー豆の抽出液を濾過し、この濾液を濃縮して製造されたコーヒー豆の抽出液の濃縮液が希釈されて、濃度がＢｒｉｘ４．０パーセント以上のコーヒー抽出濃縮液含有溶液を、湿紙に塗布し、この塗布された湿紙を乾燥することを特徴とする衛生用紙の製造方法にあり、また、本発明は、コーヒー豆の抽出液を濾過し、この濾液を濃縮して製造されたコーヒー豆の抽出液の濃縮液が希釈されて、濃度がＢｒｉｘ４．０パーセント以上のコーヒー豆の抽出液の濃縮液含有溶液を湿紙に塗布し、この塗布された湿紙に、紙力増強剤を塗布し、次いで、この紙力増強剤が塗布された湿紙を乾燥することを特徴とする衛生用紙の製造方法にあり、さらに、本発明は、コーヒー豆の抽出液を濾過し、この濾液を濃縮して製造されたコーヒー豆の抽出液の濃縮液が希釈されて、濃度がＢｒｉｘ４．０パーセント以上のコーヒー抽出濃縮液含有溶液及び紙力増強剤を湿紙に塗布し、この塗布された湿紙を乾燥することを特徴とする衛生用紙の製造方法にあり、さらにまた、本発明は、紙力増強剤を湿紙に塗布し、紙力増強剤が塗布された湿紙に、コーヒー豆の抽出液を濾過し、この濾液を濃縮して製造されたコーヒー豆の抽出液の濃縮液が希釈されて、濃度がＢｒｉｘ４．０パーセント以上のコーヒー豆の抽出液の濃縮液含有溶液を塗布し、次いでこのコーヒー豆の抽出液の濃縮液含有溶液が塗布された湿紙を乾燥することを特徴とする衛生用紙の製造方法にあり、さらに加えて、本発明は、抄紙され又は更に脱水されて搬送される湿紙に、コーヒー豆の抽出液を濾過し、この濾液を濃縮して製造されたコーヒー豆の抽出液の濃縮液が希釈されて、濃度がＢｒｉｘ４．０パーセント以上のコーヒー豆の抽出液の濃縮液含有溶液を噴霧し、この噴霧された湿紙を乾燥することを特徴とする衛生用紙の製造方法にある。
【００１０】
　そしてまた、本発明は、第一の衛生用紙の上に、吸水性材料及び高吸水性樹脂を配置して、吸水性材料層を、前記第一の衛生用紙の上に形成し、この形成された吸水性材料層の上に、第二の衛生用紙を配置して吸収体を製造する吸収体の製造方法において、第一の衛生用紙は、コーヒー豆の抽出液を濾過し、この濾液を濃縮して製造された濃度がＢｒｉｘ４．０パーセント以上のコーヒー豆の抽出液の濃縮液を塗布し、乾燥して製造されたコーヒー豆の抽出液の濃縮液の乾燥物を含有する衛生用紙であることを特徴とする吸収体の製造方法にあり、さらに、本発明は、第一の衛生用紙の上に、吸水性材料及び高吸水性樹脂を配置して、吸水性材料層を、前記第一の衛生用紙の上に形成し、この形成された吸水性材料層の上に、第二の衛生用紙を配置して吸収体を製造する吸収体の製造方法において、第二の衛生用紙は、コーヒー豆の抽出液を濾過し、この濾液を濃縮して製造された濃度がＢｒｉｘ４．０パーセント以上のコーヒー豆の抽出液の濃縮液を塗布し、乾燥して製造されたコーヒー豆の抽出液の濃縮液の乾燥物を含有する衛生用紙であることを特徴とする吸収体の製造方法にあり、さらにまた、本発明は、第一の衛生用紙の上に、吸水性材料及び高吸水性樹脂を配置して、吸水性材料層を、前記第一の衛生用紙の上に形成し、この形成された吸水性材料層の上に、第二の衛生用紙を配置して吸収体を製造する吸収体の製造方法において、第一及び第二の衛生用紙が、共に、コーヒー豆の抽出液を濾過し、この濾液を濃縮して製造された濃度がＢｒｉｘ４．０パーセント以上のコーヒー豆の抽出液の濃縮液を塗布し、乾燥して製造されたコーヒー豆の抽出液の濃縮液の乾燥物を含有する衛生用紙であることを特徴とする吸収体の製造方法にある。
【発明の効果】
【００１１】
　本発明において、衛生用紙は、コーヒー豆の抽出液の濃縮液を湿紙に塗布し、コーヒー豆の抽出液の濃縮液が塗布された湿紙を乾燥することにより、製造するので、コーヒー豆の抽出液の使用量を少なくして、コーヒー豆の抽出液を多く含有する衛生用紙を製造することができる。本発明の衛生用紙は、缶入り及びパック入りのコーヒーの製造時に発生する、例えば残留廃液を含むコーヒー豆の抽出残渣の抽出液やコーヒー豆の抽出液の濃縮液を含浸させることにより、汗等の臭いが抑制され、発汗による湿り、及び細菌の増殖を抑えることができ、長時間に亙って、衛生的な状態を保つことができる衛生用紙を提供することができる。そして本発明は、缶入り及びパック入りのコーヒーや、緑茶、紅茶等の飲料の製造時に発生する、例えばコーヒー豆の抽出残渣、茶殻残留廃液を含む茶殻を有効に活用することができる。
【００１２】
　また、本発明においては、上面を形成する吸水性の第一のコーヒー豆の抽出液の濃縮液乾燥物含有衛生用紙部材と、該第一衛生用紙部材の下面に接して位置する吸水性材料粉及び吸水性樹脂が配合された吸水性層部と、該吸水性層部の下面に接して位置する吸水性の第二のコーヒー豆の抽出液の濃縮液乾燥物含有衛生用紙部材とを備えている。本発明の吸収体においては、前記第第一及び第二のコーヒー豆の抽出液の濃縮液乾燥物含有衛生用紙部材を含み、さらに、それらの間に配置される吸水性層部材も、コーヒー豆の抽出液の乾燥物又はコーヒー豆の抽出液の濃縮液の乾燥物を含むので、従来の吸収体、例えば、紙おむつ、動物用シーツなどに使用されている吸収体と比して、排泄した尿により、尿や体臭による汚臭を抑制することができ、例えば、愛玩用の動物用として、休養時、就寝時又は排泄時に使用して、周囲を良好な衛生状態に保っことができる。
【００１３】
　本発明においては、コーヒー豆の抽出液の濃縮液の乾燥物、コーヒー豆の抽出残渣の抽出液の濃縮液の乾燥物又はこれらの乾燥物を使用して、吸収体の使用時の細菌の増殖を抑制するので、細菌の増殖を、比較的少ない費用で行うことができ、しかも、大量に排出されるの茶殻や茶殻から滲出する茶殻残留排液を有効に利用することとができる。
　したがって、本発明によると、コーヒー豆の抽出残渣から、タンニン等が分離除去されるので、従来、残留廃液のタンニン等の成分により有効に使用することができなかったコーヒー豆の抽出残渣を、有効に活用することができ、活性汚泥処理等による処理を必要としないで済むこととなり、缶入り又はパック入りコーヒー等の飲料製造工場において、抽出残渣処理工程を省くことができる。
【発明を実施するための最良の形態】
【００１４】
　本発明において、衛生用紙は、坪量が２０ｇ/ｍ２の衛生用紙を基準にして、１平方メートルあたり、コーヒー豆の抽出液の乾燥物が０．２グラム以上、好ましくは、０．５グラム以上、さらに好ましくは０．７グラム含有されるものであり、コーヒー豆の抽出液の濃縮液を、含浸保持させて乾燥することにより製造され、衛生用紙の単位面積当たり含有される焙煎されたコーヒー豆の可溶性成分にを含有させたものである。本発明において、衛生用紙は、衛生用紙に付着する、コーヒー豆の抽出液の乾燥物又はお茶の乾燥物、即ち、可溶性固形分又は溶解性固形物の量を多くすることにより、衛生用紙に又は吸収体に付着する大腸菌、緑膿菌、黄色ブドウ球菌、レジオネラ菌及び連鎖球菌の増殖を長時間に亙って抑制するものである。焙煎されたコーヒー豆や茶葉はもとより、コーヒー豆の抽出液茶殻等の出し殻の廃材を利用でき、安価な細菌の増殖を抑制する衛生用紙を得ることができる。またさらに、本発明は、衛生用紙を製造する過程で、廃棄されるコーヒー豆の抽出残渣若しくはコーヒー豆の抽出残渣の残留廃液、茶殻又は茶殻の残留廃液に含有され、特に、茶殻等を廃棄する場合に、有害とされるタンニン、サポニン、さらに亜鉛等の成分を、コーヒー豆の抽出残渣及び茶殻等から抽出除去して、廃棄可能にするものである。
【００１５】
　本発明において、コーヒー豆は、産地により区別されず、コーヒー豆全般を意味する。
　本発明において、コーヒー豆の抽出液は、焙煎されたコーヒー豆の抽出液、焙煎されたコーヒー豆の抽出残渣の抽出液若しくはコーヒー豆の抽出残渣の残留廃液又はこれら二以上の抽出液の混合物を意味し、コーヒー豆の抽出液の濃縮液は、前記コーヒー豆の抽出液お茶を、該液の液量の少なくとも５／６以下、好ましくは４／５以下、さらに好ましくは、３／４以下に濃縮した濃縮液を意味する。
　お茶は、一種以上の茶葉及び／又は茶殻を温水又は熱水により抽出した抽出液及び／又は茶殻浸出残留廃液を意味し、お茶の濃縮液は、前記お茶を、該液の液量の少なくとも５／６以下、好ましくは４／５以下、さらに好ましくは、３／４以下に濃縮した濃縮液を意味する。本発明において、コーヒー豆の抽出液の濃縮液含有溶液は、コーヒー抽出液の濃縮液に他の成分を混合した溶液であり、例えば、コーヒー豆の抽出液を常温以上の温度の水により希釈されたもの、コーヒー豆の抽出液の濃縮液に、コーヒー豆の抽出液の濃縮液より少ない含有量でお茶若しくはお茶の濃縮液若しくは茶殻の抽出液若しくは茶殻の抽出液の濃縮液又はそれらの混合物を混合したものを包含する。
　お茶の濃縮液は、一種以上の茶葉及び／又は茶殻の抽出液及び／又は茶殻浸出残留廃液を濃縮した濃縮液、又はこれら二以上の濃縮液の混合液を意味する。
　本発明において、茶葉は、緑茶、紅茶、烏龍茶（ウーロン茶）又はその他の茶の茶芽即ち茶葉を意味し、茶殻は、パック入り又は缶入り等の緑茶、紅茶及び烏龍茶等のお茶の製造時に排出される抽出残渣、即ち抽出粕を意味する。
【００１６】
　本発明において、コーヒー豆の抽出液の濃縮液は、焙煎されたコーヒー豆又は焙煎されたコーヒー豆の抽出残渣を、熱水で煮立てて得られた抽出液を加熱濃縮することにより製造することができる。コーヒー豆の抽出残渣の抽出液の濃縮液は、パック入り又は缶入りのコーヒー又はその他のコーヒーの製造時に抽出粕として排出されるコーヒー豆の抽出残渣を、温水又は熱水で浸出し、さらに加熱により濃縮又は減圧により濃縮して製造することができる。しかし、温水で浸出し、さらに煮立てるなど、加熱により濃縮又は減圧蒸発により濃縮して製造することもできる。しかし、熱水で抽出すると、可溶性成分の溶解量が多くなるので好ましい。したがって、コーヒー豆の抽出液の濃縮液は、コーヒー豆の抽出液の濃縮液、コーヒー豆の抽出残渣の抽出液の濃縮液又は該抽出残渣の残留廃液の濃縮液又は前記二以上の濃縮液の混合液を包含する。
　お茶の濃縮液は、緑茶、紅茶、烏龍茶又はその他のお茶の茶葉を、熱水で煮立てて得られる抽出液を加熱又は減圧濃縮することにより製造することができる。しかし、温水で浸出し、さらに煮立てるなど、加熱により又は減圧により濃縮して製造することもできる。しかし、熱水で抽出すると、可溶性成分の溶解量が多くなるので好ましい。お茶の濃縮液は、一種以上の茶葉若しくは茶殻の抽出液の濃縮液又は茶殻残留廃液の濃縮液、又は前記一種以上の茶葉及び茶殻の混合抽出液の濃縮液又は前記二以上の濃縮液の混合液を包含する。茶殻の抽出液の濃縮液は、パック入り又は缶入りの緑茶、紅茶、烏龍茶又はその他のお茶の製造時に抽出粕として排出される茶殻を、温水又は熱水で浸出し、さらに加熱濃縮して製造することができる。パック入り又は缶入りの烏龍茶(ウーロン茶)、緑茶及び紅茶製造時に抽出粕として排出される茶殻は、一般に、茶殻残留廃液を含んで排出されるが、本発明において、お茶の濃縮液は、茶殻残留廃液の濃縮液を包含する。茶殻は、茶殻残留廃液を含んでいてもよく、脱水又は乾燥されていても良い。茶殻についての抽出を終えた茶殻は、脱水後、動物の排泄物処理材として利用することができる。
【００１７】
　本発明において、衛生用紙は、製紙工程において、脱水部又は乾燥部に移された湿紙に、コーヒー豆の抽出液の濃縮液又はコーヒー豆の抽出液の濃縮液含有溶液を、直接、噴霧等により塗布含浸させ、乾燥筒に送られて乾燥することにより製造される。ここで、乾燥されて衛生用紙に付着するコーヒー豆の抽出液の濃縮液に包含される溶解性固形分は、コーヒー豆の抽出液又はコーヒー豆の抽出残渣の抽出液に溶存するものであり、加熱又は減圧により濃縮することにより液中の溶解性固形物濃度は、例えばＢｒｉｘ濃度で２０パーセント程度まで増加させることができる。本発明において、衛生用紙に、溶解性固形分を多く含浸させるには、複数回に亙って、又は複数箇所においてなど種々の方法で、湿紙にお茶の濃縮液を噴霧等により塗布することができる。
【００１８】
　本発明において、衛生用紙に付着させるコーヒー豆の抽出液の乾燥物は、溶解性固形物であり、細菌の増殖の抑制効果及び脱臭効果を有する。衛生用紙に含浸させるこのような溶解性固形物の量は、コーヒー豆の抽出液の濃縮液における溶解性固形物の夫々の濃度及び塗布量（噴霧量）を、調整して、細菌の増殖に対する抑制効果を発揮させ、また脱臭効果を発揮させることができる。衛生用紙に噴霧等により塗布されるコーヒー豆及びコーヒー豆の抽出残渣は、同種又は異種の何れであつてもよい。
【００１９】
　本発明において、衛生用紙に含浸されるコーヒー豆の抽出液は、噴霧器のノズルの詰まりを防止するために、コーヒー豆の抽出残渣等の固形物は、濾過により分離される。本発明において、コーヒー豆の抽出液若しくはコーヒー豆の抽出液の濃縮液は、印刷インキ組成物と配合して印刷インキに形成することができ、又はこの印刷インキに適当な着色材を配合して、印刷用カラーインキに形成することができる。印刷用カラーインキの場合には、吸水性の紙部材面に全般に亙って所望の模様及び文字を印刷でき、例えば、装飾模様、並びに商業宣伝用の模様及び文字を吸水性の紙部材に印刷することができる。
【００２０】
　本発明において、衛生用紙に含浸させる、コーヒー豆の抽出残渣お茶の溶解性固形物の量は、衛生用紙１００ｇあたり、０．２ｇ以上であり、好ましくは０．５ｇ以上であり、さらに好ましくは、０．７ｇ以上である。衛生用紙に含浸させるコーヒー豆の抽出液の濃縮液は、コーヒー豆の抽出残渣の抽出液の濃縮液若しくはコーヒー豆の抽出残渣の残留廃液の濃縮液又はこれらの濃縮液の混合物であるが、その溶解性固形物の濃度は、例えば、自動補正式屈折計(株式会社アタゴ社製)で測定して、Ｂｒｉｘ２０パーセント程度まで増加させることができる。コーヒー豆の抽出液の濃縮液は、その濃度に応じて噴霧器により噴霧される量を調整して、衛生用紙に噴霧塗布されるコーヒー豆の抽出液の溶解性固形物の量を調整することができる。衛生用紙に含浸させるこのようなコーヒー豆の抽出液の溶解性固形物の量は、細菌の増殖の抑制効果が発揮でき、また脱臭効果が発揮できるように、適宜変えることができる。
【００２１】
　コーヒー豆及びコーヒー豆の抽出残渣中の溶解性固形物は、比較的抽出され易いので、熱水により、比較的短時間で抽出することができる。しかし、抽出時間は、９５℃の熱水中で、５乃至６０分であり、この間に、９５℃以上の熱水中で煮沸、又は煮立てると、例えば１０分乃至２０分で、溶解性固形物の高い濃度で抽出することができる。コーヒー豆の抽出液は、コーヒー豆又はコーヒー豆の抽出残渣の１重量部に対し、１０重量部の９５℃の熱水で抽出を開始し、濾過して抽出残渣を除いた後に、液量が、最初の液量の５／６、好ましくは３／４になるまで煮立てて得ることができる。このように製造されたコーヒー豆の抽出液は、例えば、コーヒー豆の産地や焙煎条件、コーヒー粒の大きさ及び形状並びに抽出条件により変わるが、例えば、屈折計によるＢｒｉｘ濃度は２０パーセント程度であり、このような濃いコーヒー豆の抽出液の濃縮液を、坪量が２０ｇ／ｍ２の衛生用紙の場合を標準として、湿紙１ｍ２あたり、例えば３乃至１０ミリリットル又はそれ以上噴霧して衛生用紙を製造することができる。
【００２２】
　コーヒー豆又はコーヒー豆の抽出残渣を熱水による煮沸で抽出して得られたコーヒー豆の抽出液は、抽出残渣を取り除くために、遠心分離機にかけられる。コーヒー豆の抽出残渣が除かれた上澄み液は、例えば、液量が３／４以下になるまで、加熱蒸発させて、例えばお茶の濃度を、屈折計で測定してＢｒｉｘ２０％程度にまで濃縮される。濃縮されたコーヒー豆の抽出液の濃縮液は、噴霧し易い濃度に希釈されて、噴霧用に調整される。
【００２３】
　本発明においては、コーヒー豆の抽出液の濃縮液の塗布量が均一にするために、湿紙に直接コーヒー豆の抽出液の濃縮液が噴霧される。コーヒー豆の抽出液の濃縮液を湿紙に直接噴霧するために、出来上がった紙にピンホールが生じやすいので、湿紙が幾分脱水された箇所から乾燥機に至る間に、コーヒー豆の抽出液お茶の濃縮液の噴霧を行うのが好ましい。このような噴霧箇所は、湿紙が脱水されて、ピックアップロールにより、ドライパートに移された箇所から乾燥ロールに送られる間であり、噴霧されて湿紙に付着したお茶の濃縮液は、その後湿紙内に浸透して、お茶の溶解性固形物濃度は一様に均される。
【００２４】
　本発明において、衛生用紙は、坪量が、例えば１８ｇ／ｍ２乃至２５ｇ／ｍ２であり、このような衛生用紙としては、例えば、トイレットペーパー、ティッシュペーパー、化粧紙、紙ナプキン、ちり紙、紙綿、紙タオル又は便座シート等がある。例えば、トイレットペーパーとティッシュペーパーは、パルプ紙料への添加剤が相違するが、パルプ及び添加剤等は、抄紙段階で紙料に加えられる。
【００２５】
　また、本発明において、衛生用紙即ち家庭用薄葉紙は、クレープを付して形成されるのが、吸水性が向上するので好ましい。このような衛生用紙は、衛生用品、例えば、寝具用シーツ、マスク、アイマスク、トイレットペーパー、ティッシュ、弁座シート、座席用ヘッドカバー、枕カバー、紙おむつ、動物用紙おむつ、生理用ナプキン、動物用生理用ナプキン、乳パッド、汗パッド、失禁パッド及び動物用シーツ、鮮魚輸送用吸水体及び野菜輸送用吸水体等の吸収体に使用される衛生用紙及び吸水紙として又は紙で形成される吸水性層部の形成材料として又は吸収体として使用することができる。
【００２６】
　本発明において、衛生用紙を使用して衛生用品等の吸収体を形成する場合には、従来の衛生用品と同様に、その上面は、例えばポリプロピレン樹脂、ポリエチレン樹脂、ナイロン樹脂、ビニロン樹脂等のプラスチック繊維製又はレーヨン繊維製の不織布層部又はポリエチレン樹脂、ポリプロピレン樹脂、塩化ビニル樹脂等のプラスチック製の多孔膜部材で形成することができ、衛生用品の下面は、ポリエチレン樹脂、ポリプロピレン樹脂等のプラスチック製の不透水性膜部材で形成することができる。本発明においては、前記多孔膜部材の上には、該多孔膜部材の下面に接して、衛生用紙、例えばクレープを付した衛生用紙を設けて第一紙部材とすることができ、また、前記不透水性膜部材の上には、該不透水性膜部材の上面に接して、衛生用紙、例えばクレープを付した衛生用紙を設けて第二紙部材とすることができる。
【００２７】
　このような衛生用品においては、前記吸水性の第一紙部材の下面に接して、高吸水性樹脂及び吸水性材料粉を含有する吸水性層部を設けることができる。この吸水性層部の製造過程において、高吸水性樹脂を吸水性材料になじませるために、高吸水性樹脂の配合段階で、お茶即ち、お茶の茶葉及び/又は茶殻の抽出液を、吸水性材料粉に付着させるのが好ましい。
　この吸水性層部には、綿状パルプ層の間に高吸水性樹脂が配合若しくは挟持させることができる。この場合、吸水性層部が、綿状パルプ層の間に高吸水性樹脂が挟持されて形成され、その吸水性層部の表裏両面に吸水紙が設けられている所謂ポリマーシートを使用することができる。ポリマーシートを使用する場合には、第一及び第二紙部材を省略することができる。
【００２８】
　前記吸水性層部は、吸水性材料粉砕物及び吸水性樹脂を含んでいる。例えば、乳パッド廃材、失禁パッド廃材、紙おむつ廃材や生理用ナプキン廃材等の吸収体廃材などの有機物廃材は、ポリエチレン、ポリプロピレン、レーヨン及び合成ゴム材を含有するが、吸水性材料粉砕物として紙粉を含み、また、吸水性樹脂を含んでいるので吸水性層部の形成材料である。例えば、乳パッド廃材、失禁パッド廃材、紙おむつ廃材や生理用ナプキン廃材は、例えば５ｍｍ以下の粒度、好ましくは、３ｍｍ以下の粒度に粉砕して、吸水性層部の原材料として、その侭使用することができる。また、このように粉砕した紙おむつ廃材や生理用ナプキン廃材の粉砕物は、分級機により、プラスチック類を含む紙粉及び高吸水性樹脂に分級して、これらの分級産物を適宜の割合に、配合して吸水性層部の原材料として使用することができる。このようなプラスチック類を含む材料の、５ｍｍ以下の、好ましくは３ｍｍ以下の粒度の粉砕物は、保水性を有するので、衛生用品の保水性を高めると共に、使用後の衛生用品の燃焼熱を高めることができる。
【００２９】
　この衛生用品において、吸水性樹脂は、不良品の吸水性樹脂、高吸水性樹脂廃材、比較的吸水性能の小さい吸水性樹脂及び吸水性能の高い高吸水性樹脂を意味する。しかし、吸水性の高いものを使用すると、吸水性樹脂の使用量を少なくできるので好ましい。
　また、この衛生用品において、吸水性材料は、比較的高い吸水性を有する、機械パルプ、化学パルプ、セミケミカルパルプ、綿状パルプ等の木材パルプの粉砕物、古紙パルプの粉砕物、木粉、紙粉、チタン紙及びパンチ屑などの屑紙の粉砕物、紙おむつ廃材の粉砕物、生理用ナプキン廃材の粉砕物、乳パッド廃材の粉砕物、並びに失禁パッド廃材の粉砕物などを使用することができる。紙おむつ廃材の粉砕物、生理用ナプキン廃材の粉砕物、乳パッド廃材の粉砕物、並びに失禁パッド廃材の粉砕物は、その侭、前記吸水性混合層部の配合物として使用できるが、吸水性材料粉砕物としても使用することができる。この場合は、さらに高吸水性樹脂又は吸水性繊維を配合して配合物とすることになる。
【００３０】
　この衛生用品において使用される紙粉は、粉状の紙又は吸水性樹脂を含む粉状の紙であり、例えば、製本時に発生する紙粉、不織布製造時に発生する紙粉、製紙工程において発生する紙粉、及び集塵ロスの紙粉、並びに紙おむつ、生理用ナプキン、ショルダーパッド、バストパッド、ヒップパッド、失禁パッド、乳パッド又は汗パッド等のパッド類及び衛生材料製造時に発生する高吸水性樹脂を含む紙粉がある。
【００３１】
　本発明において、衛生用紙は、坪量が２０ｇ/ｍ２の衛生用紙を基準にして、衛生用紙１平方メートルあたり、一種以上のコーヒー豆の抽出液の乾燥物が５グラム以上含有するので、コーヒー豆の抽出液の乾燥物又はコーヒー豆の抽出液の乾燥物及びお茶の乾燥物の作用により、汗等により湿っても、吸水性に優れ、且つ細菌の増殖が抑えられ、長時間に亙って、衛生的な状態を保つことができる。
　本発明は、このように、缶入り又はパック入りのコーヒー飲料製造産業において多量に発生するコーヒー豆の抽出残渣及びコーヒー豆の抽出残渣の残留廃液を吸収体の原料として活用して、吸収体の衛生状態を、汗等により湿っても、細菌の増殖を抑えて、長時間に亙って良好な状態に保つことができる。
【００３２】
　また、本発明においては、一種以上のコーヒー豆の抽出液の濃縮液を例えば湿紙の一方の面に塗布し、コーヒー豆の抽出液の濃縮液が塗布された湿紙を乾燥するので、コーヒー豆の抽出液の濃縮液を塗布された湿紙から衛生用紙を製造しても，使用時の衛生状態が顕著に良好な孔のない衛生用紙を高い歩留まりで製造することができる。
【実施例】
【００３３】
　以下、図１を参照して、本発明の実施の態様の例を説明するが、本発明は、以下の説明及び例示によって何等制限されるものではない。
　図１は、本発明の一実施例の衛生用紙の円網抄造方式による製造工程の概略を示す模式的工程図である。図２は、本発明の一実施例のお茶乾燥物含有衛生用紙を使用した吸収体の説明図である。図３は、本発明のお茶濃縮液乾燥物含有衛生用紙を使用する吸収体の他の一実施例の概略を示す概念図である。図４は、本発明の一実施例のお茶乾燥物含有衛生用紙を使用する吸収体を製造する工程を示す、概略の製造工程図である。図１乃至図４において、同一機能を有する対応個所には同一の符号が使用されている。
【００３４】
　図１に示す実施例において、紙料のパルプ繊維の希薄懸濁液が流入する抄紙槽１内で、回転可能に円網２が設けられており、この抄紙槽内で回転する円網に紙料が吸引されて、円網２上に湿紙層３を形成する。本例においては、前記円網１上に、エンドレスの湿毛布４が掛け渡されてれているクーチロール５が設けられており、抄紙槽1内で円網上に形成された湿紙層３は、クーチロール５に掛け渡されているワイヤパート側の第一毛布４上で圧搾されてクーチロール５上に移り、湿紙６を形成する。案内ロールエンドレスに形成されている第一毛布４は、クーチロール５、案内ロール７並びに吸引箱８及び９並びにプレスロール１０に掛け渡されており、クーチロール上で形成された湿紙６は、エンドレスに形成されている第一毛布４と共に、案内ロール７に案内されて移動する間に、吸引箱8の吸引作用により脱水され、さらに吸引箱9により吸引されて脱水される。
【００３５】
　吸引箱で９で脱水された湿紙４は、プレスロール１０上にピックアップロール１１が設けられている個所に送られ、ここで、プレスロール１０及びピックアップロール１１により、圧搾され脱水される。圧搾脱水された湿紙６は、ピックアップロール１１の吸引作用により、第一毛布４から引き離されて、ピックアップロール１１、案内ロール１２及びタッチロール１３に掛け渡されているドライパート側の第二毛布１４と共に移動し、タッチロール１３の上方に設けられているドライパート１５の大径の乾燥筒１６に送られる。本例において、コーヒー豆の抽出液の濃縮液の噴霧器１７は、ピックアップロール１１の上の噴霧個所１８に向けて設けられており、コーヒー豆の抽出液の濃縮液は、噴霧器１７の複数のノズル(図示されていない)から、ピックアップロール１１上の噴霧個所１８上で第二毛布１４上の湿紙６に噴霧される。コーヒー豆の抽出液の濃縮液が噴霧された湿紙６は、第二毛布１４から離されて乾燥筒１６に巻き取られて移動し乾燥される。本例において、コーヒー豆の抽出液の濃縮液の噴霧個所１８に送られる湿紙は水分含有率が約６０重量％であった。
【００３６】
　本例において、ワイヤパート側の第一毛布４は、湿紙６が分離された後，ワイヤパート側の第一清浄化工程１９に送られ、清浄化されて、クーチロール５に送られる。本例において、第一清浄化工程１９には、複数の案内ロール２０、複数対の洗浄液噴霧器２１、複数の吸引箱２２及び対のプレスロール２３が設けられており、第一毛布４は、先ず、清浄化工程１９において、洗浄液噴霧器２１から洗浄液が噴霧され、吸引箱２２で吸引され、再度、噴霧器２２から洗浄液が噴霧され、プレスロール２３で脱水されて、吸引箱２２吸引脱水されて、清浄となってクーチロール５に送られる。ワイヤパート側の第一毛布４の第一清浄化工程１９には張力調整ロール２４が設けられており、湿紙送りの毛布の張力が調整することができる。
【００３７】
　本例において、ドライパート側の第二毛布１４は、タッチロール１３で湿紙６が分離された後，ドライパート側の第二清浄化工程２５に送られ、清浄化されて、ピックアップロール１１に送られる。本例において、第二清浄化工程２５は、複数の案内ロール２６、一対の洗浄液噴霧器２７、ブラシロール２８、洗浄水噴霧器２９吸引箱３０及び一対のプレスロール３１が設けられている。第二清浄化工程２５において、第二毛布１４は、先ず、洗浄液噴霧器２７から洗浄液が噴霧され、ブラシロール２８によりブラッシングされる。ブラッシングされた第二毛布１４は洗浄水噴霧器２９の噴霧個所に送られて、洗浄水により洗浄され、吸引箱２２に送られて吸引脱水される。吸引脱水された第二毛布１４は、プレスロール３１に送られて、加圧脱水されて清浄となり、ピックアップロール１１に送られる。ドライパート側の第二毛布１４の第二清浄化工程２５には張力調整ロール３２が設けられており、湿紙送りの毛布の張力が調整することができる。
【００３８】
例１
　コーヒー豆２ｋｇに２５リットルの水を加え加熱し９５℃の沸騰水で１０分間浸煮立てて、全量を遠心分離器に掛けて、コーヒー豆の抽出残渣を遠心分離して、溶解固形物の濃度がＢｒｉｘ４％のコーヒー豆の抽出液１９リットルを得た。この抽出液を、コーヒー豆の抽出液採集槽に入れた。
【００３９】
例２
　コーヒー豆２ｋｇに２１リットルの水を加え加熱し９５℃の沸騰水で１０分間浸煮立てて、全量を遠心分離器に掛けて、コーヒー豆の抽出残渣を遠心分離して、溶解固形物の濃度がＢｒｉｘ５．２％のコーヒー豆の抽出液１５リットルを得た。この抽出液を、例１のコーヒー豆の抽出液が入れられているコーヒー豆の抽出液採集槽に加えた。
【００４０】
例３
　コーヒー豆の抽出液２ｋｇに２１リットルの水を加え加熱し９５℃の沸騰水で１０分間浸煮立てて、全量を遠心分離器に掛けて、コーヒー豆の抽出残渣を遠心分離して、溶解固形物の濃度がＢｒｉｘ５．３％のコーヒー豆の抽出液１５リットルを得た。この抽出液を、例１及び例２のコーヒー豆の抽出液が入れられているコーヒー豆の抽出液採集槽に加えた。例１、例２及び例３のコーヒー豆の抽出液採集槽に入れたコーヒー豆の抽出液は、合計で４９リットルであり、その緑茶濃度はＢｒｉｘ４．８％であった。
【００４１】
例４
　コーヒー豆の抽出液採集槽に入れた、コーヒー豆の抽出液濃度がＢｒｉｘ４．８％の４９リットルのコーヒー豆の抽出液抽出液を、１時間煮詰めて、液量が３/４にまで濃縮した。該コーヒー豆の抽出液濃縮液のコーヒー豆の抽出液の濃度は、Ｂｒｉｘ５．８％であった。このコーヒー豆の抽出液の濃縮液を、コーヒー豆の抽出液の濃度がＢｒｉｘ５％となるように水で希釈して、コーヒー豆の抽出液濃縮液の噴霧液とした。このコーヒー豆の抽出液濃縮液を、製紙工程において、ピックアップロール１１でドライパート２５に移された含水率約６０％の湿紙に、湿紙１ｍ２あたり７ｍｌの割合で噴霧した。乾燥して選られたコーヒー豆の抽出液の乾燥物含有衛生用紙の緑茶の含有量は、１ｍ２あたり０．３８ｇであった。
【００４２】
例５
　コーヒー豆の抽出液３ｋｇに３０リットルの水を加え加熱し９６℃の沸騰水で１５分間煮立てて、この煮立てた液の全量を遠心分離器に掛けて、コーヒー豆の抽出残渣を遠心分離し、ここで得られたＢｒｉｘ４．０％の第一コーヒー豆の抽出液を、コーヒー豆の抽出液採集槽に入れ、次いで、新しいコーヒー豆２ｋｇに２１リットルの水を加え加熱し９６℃の沸騰水で１５分間煮立てて、煮立てた液の全量を遠心分離器に掛けて、コーヒー豆の抽出残渣を遠心分離し、ここで得られた第二コーヒー豆の抽出液を、前記コーヒー豆の抽出液採集槽の第一コーヒー豆の抽出液に加え、さらに、新しいコーヒー豆の抽出液３ｋｇに３０リットルの水を加え加熱し９６℃の沸騰水で１０分間煮立てて、煮立てた液の全量を遠心分離器に掛けて、コーヒー豆の抽出残渣を遠心分離し、ここで得られた第三コーヒー豆の抽出液を、コーヒー豆の抽出液採集槽中の第一及び第二コーヒー豆の抽出液に加えて、コーヒー豆の抽出液採集槽に、コーヒー豆の抽出液の濃度がＢｒｉｘ４．４％の紅茶抽出液５０リットルを得た。
【００４３】
例６
　コーヒー豆の抽出液採集槽に集めた、コーヒー豆の抽出液の濃度がＢｒｉｘ４．４％の５０リットルのコーヒー豆の抽出液を、１時間煮詰めて、液量が３/４にまで濃縮した。該コーヒー豆の抽出液の濃縮液のコーヒー豆の抽出液の濃度は、Ｂｒｉｘ５．８％であった。この濃縮液を、溶解性固形物の濃度がＢｒｉｘ５％となるように水で希釈して、コーヒー豆の抽出液の濃縮液の噴霧液とした。このコーヒー豆の抽出液の濃縮液を、製紙工程において、ピックアップロール１１でドライパート２５に移された湿紙(含水率６０％)に、湿紙１ｍ２あたり７ｍｌの割合で噴霧された。乾燥して選られたコーヒー豆の抽出液含有衛生用紙のコーヒー豆の抽出液の乾燥物の含有量は、１ｍ２あたり０．３５ｇであった。
【００４４】
　図２に示す実施例は、本発明のお茶の濃縮液の乾燥物含有衛生用紙を使用した吸収体の説明図である。
　図２において、吸収体３３は、コーヒー豆の抽出液の濃縮液の乾燥物を含有する衛生用紙部材３４により頂部が形成され、コーヒー豆の抽出液の濃縮液の乾燥物を含有する衛生用紙部材３５により底部が形成されており、二つの前記衛生用紙部材３４と３５の間に、高吸水性樹脂及びパルプを含有する吸水性層部材３６が設けられている。本例において、頂部を形成する上部コーヒー豆の抽出液の濃縮液の乾燥物含有衛生用紙部材３４、吸水性層部材３６及び底部を形成する下部コーヒー豆の抽出液乾燥物含有衛生用紙部材３５は、重ねられてエンボス加工されてシート状に一体に形成され、さらに、上部コーヒー豆の抽出液の濃縮液乾燥物含有衛生用紙部材３４の端部及び下部お茶濃縮液乾燥物含有衛生用紙部材３５の端部は重ね合わされて、一体に形成される。
【００４５】
　図３は、本発明のお茶濃縮液乾燥物含有衛生用紙を使用する吸収体の他の一実施例の概略を示す概念図である
　本例の衛生用紙３７は、頂部を形成する上部コーヒー豆の抽出液の濃縮液乾燥物含有衛生用紙部材３４及び底部を形成する下部コーヒー豆の抽出液の濃縮液乾燥物含有衛生用紙部材３５を有しており、さらに、上部及び下部コーヒー豆の抽出液の濃縮液乾燥物含有衛生用紙部材３４及び３５の間に、中間部コーヒー豆の抽出液の濃縮液乾燥物含有衛生用紙部材３８が配設されている。上部コーヒー豆の抽出液の濃縮液乾燥物含有衛生用紙部材３４と中間部コーヒー豆の抽出液の濃縮液乾燥物含有衛生用紙部材３８の間には、上部吸水性層部材３９１が設けられ、中間部コーヒー豆の抽出液の濃縮液乾燥物含有衛生用紙部材３８と下部コーヒー豆の抽出液の濃縮液乾燥物含有衛生用紙部材３５の間には、下部吸水性層部材３９２が設けられている。本例において、上部コーヒー豆の抽出液の濃縮液乾燥物含有衛生用紙部材３４、上部吸水性層部材３９１及び中間部コーヒー豆の抽出液の濃縮液含有衛生用紙部材３８、下部吸水性層部材３９２及び下部コーヒー豆の抽出液の濃縮液乾燥物含有衛生用紙部材３５は、重ねられてエンボス加工されてシート状に一体に形成され、さらに、上部コーヒー豆の抽出液の濃縮液乾燥物含有衛生用紙部材３４、中間部コーヒー豆の抽出液の濃縮液乾燥物含有衛生用紙部材３８及び下部コーヒー豆の抽出液の濃縮液乾燥物含有衛生用紙部材３５の端部は重ね合わされて、一体に形成される。
【００４６】
　図４に、本発明の図２に示すコーヒー豆の抽出液の濃縮液乾燥物含有衛生用紙を使用する吸収体を製造する工程を示す、概略の製造工程図である。
　図４において、下部おコーヒー豆の抽出液の濃縮液乾燥物含有衛生用紙部材３５のロール４０は、下部コーヒー豆の抽出液の濃縮液乾燥物含有衛生用紙部材送り出しローラ４１により引き出されて、綿状パルプ４２の供給ローラ４３に送られて、粉砕機４４で粉砕された綿状パルプ粉砕物４５が供給される。供給された綿状パルプ粉砕物４５の量は、該下部コーヒー豆の抽出液の濃縮液乾燥物含有衛生用紙部材３５上で、その量が一定となるように調整される。綿状パルプ粉砕物４５が供給された下部コーヒー豆の抽出液の濃縮液乾燥物含有衛生用紙部材３５は、コーヒー豆の抽出液の噴霧箇所４６に送られて、一定量のコーヒー豆の抽出液が、コーヒー豆の抽出液噴霧器４７から、下部コーヒー豆の抽出液の濃縮液乾燥物含有衛生用紙部材３５上の一定量の綿状パルプ粉砕物４５上に噴霧される。コーヒー豆の抽出液が噴霧された下部コーヒー豆の抽出液の濃縮液乾燥物含有衛生用紙部材３５は、高吸水性樹脂４８の散布箇所４９に送られる。高吸水性樹脂４８は、散布箇所４９に送られた下部コーヒー豆の抽出液の濃縮液乾燥物含有衛生用紙部材３５上の綿状パルプ粉砕物４５上に、高吸水性樹脂散布機５０により散布される。散布された高吸水性樹脂４８は、噴霧されたコーヒー豆の抽出液により湿っている綿状パルプ粉砕物４５に保持される。
【００４７】
　高吸水性樹脂４８が散布されて、吸水性層部材３６が形成された下部コーヒー豆の抽出液の濃縮液乾燥物含有衛生用紙部材３５は、上部コーヒー豆の抽出液の濃縮液乾燥物含有衛生用紙部材３４の供給箇所５１に送られて、上部コーヒー豆の抽出液の濃縮液乾燥物含有衛生用紙部材３４のロール５２から、吸水性層部材３６の上に供給ロール５３を介して、上部コーヒー豆の抽出液の濃縮液乾燥物含有衛生用紙部材３４が載せられる。吸水性層部材３６が設けられ、その上に上部コーヒー豆の抽出液の濃縮液乾燥物含有衛生用紙部材３４が設けられた下部コーヒー豆の抽出液の濃縮液乾燥物含有衛生用紙部材３５は、エンボス機５４に送られてエンボスが形成される。エンボスが形成された吸収体３３の帯状物は、マットカッター５５に送られて、長さ４５０ｍｍの吸収体３３の裁断物に切断され，搬送路５６により取出される。
【００４８】
　図５は、本発明の図３に示すコーヒー豆の抽出液の濃縮液乾燥物含有衛生用紙を使用する吸収体を製造する工程を示す、概略の製造工程図である。
　図５において、下部コーヒー豆の抽出液の濃縮液乾燥物含有衛生用紙部材３５のロール４０は、下部コーヒー豆の抽出液の濃縮液乾燥物含有衛生用紙部材送り出しローラ４１により引き出されて、綿状パルプ４２の供給ローラ４３に送られて、粉砕機４４で粉砕された綿状パルプ粉砕物４５が供給される。供給される綿状パルプ粉砕物４５の量は、該下部おコーヒー豆の抽出液の濃縮液乾燥物含有衛生用紙部材３５上で、その量が一定となるように調整される。
【００４９】
　綿状パルプ粉砕物４５の量が供給された下部コーヒー豆の抽出液の濃縮液乾燥物含有衛生用紙部材３５は、コーヒー豆の抽出液噴霧箇所４６に送られて、一定量のコーヒー豆の抽出液が、コーヒー豆の抽出液噴霧器４７から、下部コーヒー豆の抽出液の濃縮液乾燥物含有衛生用紙部材３５上の一定量の綿状パルプ粉砕物４５上に噴霧される。コーヒー豆の抽出液が噴霧された下部コーヒー豆の抽出液の濃縮液乾燥含有衛生用紙部材３５は、高吸水性樹脂４８の散布箇所４９に送られる。高吸水性樹脂４８は、散布箇所４９に送られた下部コーヒー豆の抽出液の濃縮液乾燥物含有衛生用紙部材３５上の綿状パルプ粉砕物４５上に、高吸水性樹脂散布機５０により散布される。散布された高吸水性樹脂４８は、噴霧されたお茶により湿っている綿状パルプ粉砕物４５に保持されて、下部吸水性層部材３９２が形成される。
【００５０】
　下部吸水性層部材３９２が形成された下部コーヒー豆の抽出液の濃縮液乾燥物含有衛生用紙部材３５は、中間部コーヒー豆の抽出液の濃縮液乾燥敷設含有衛生用紙部材３８の供給箇所６０に送られて、中間部コーヒー豆の抽出液の濃縮液乾燥物含有衛生用紙部材３８のロール６１から下部吸水性層部材３９２の上に供給ロール６２を介して、中間お茶濃縮液乾燥物含有衛生用紙部材３８が載せられる。本例において、中間お茶濃縮液乾燥物含有衛生用紙部材３８が載せられた下部コーヒー豆の抽出液の濃縮液乾燥物含有衛生用紙部材３５は、折り畳み機６３に送られて、下部コーヒー豆の抽出液の濃縮液乾燥物含有衛生用紙部材３５の両端部が、中間部コーヒー豆の抽出液の濃縮液乾燥物含有衛生用紙部材３８の両端部の上に折り曲げられ、下部吸水性層部材３９２が、下部コーヒー豆の抽出液の濃縮液乾燥物含有衛生用紙部材３５の上に固定される。
【００５１】
　中間部コーヒー豆の抽出液の濃縮液乾燥物含有衛生用紙部材３８及び下部吸水性層部材３９が設けられた下部コーヒー豆の抽出液の濃縮液乾燥物含有衛生用紙部材３５は、綿状パルプ４２の供給ローラ４３に送られて、粉砕機４４で粉砕された綿状パルプ粉砕物４５が供給される。供給される綿状パルプ粉砕物４５の量は、該中間部コーヒー豆の抽出液の濃縮液乾燥物含有衛生用紙部材３５上で、その量が一定となるように調整される。中間部コーヒー豆の抽出液の濃縮液乾燥物含有衛生用紙部材３８の上に綿状パルプ粉砕物４５が供給された下部コーヒー豆の抽出液の濃縮液乾燥物含有衛生用紙部材３５は、コーヒー豆の抽出液噴霧箇所４６に送られて、一定量のコーヒー豆の抽出液が、コーヒー豆の抽出液噴霧器４７から、中間部コーヒー豆の抽出液の濃縮液乾燥物含有衛生用紙部材３８上の一定量の綿状パルプ粉砕物４５上に噴霧される。コーヒー豆の抽出液が噴霧された下部コーヒー豆の抽出液の濃縮液乾燥物含有衛生用紙部材３５は、高吸水性樹脂４８の散布箇所４９に送られる。高吸水性樹脂４８は、散布箇所４９に送られた中間部コーヒー豆の抽出液の濃縮液乾燥物含有衛生用紙部材３８上のお茶が噴霧された綿状パルプ粉砕物４５上に、高吸水性樹脂散布機５０により散布される。散布された高吸水性樹脂４８は、噴霧されたお茶により湿っている綿状パルプ粉砕物４５に保持されて、中間部コーヒー豆の抽出液の濃縮液乾燥物含有衛生用紙部材３８上に、上部吸水性層部材３９１を形成する。
【００５２】
　中間部コーヒー豆の抽出液の濃縮液乾燥物含有衛生用紙部材３８上に、上部吸水性層部材３９１が形成された下部コーヒー豆の抽出液の濃縮液乾燥物含有衛生用紙材料部材３５は、上部おコーヒー豆の抽出液の濃縮液乾燥物含有衛生用紙部材３４の供給箇所５１に送られて、上部コーヒー豆の抽出液の濃縮液乾燥物含有衛生用紙部材３４のロール５２から高吸水性樹脂４８が散布された綿状パルプ粉砕物４５の上に供給ロール５３を介して、上部コーヒー豆の抽出液の濃縮液乾燥物含有衛生用紙部材３４が載せられる。上部吸水性層部材３９１が設けられ、その上に上部コーヒー豆の抽出液の濃縮液乾燥物含有衛生用紙部材３４が設けられた下部コーヒー豆の抽出液の濃縮液乾燥物含有衛生用紙部材３５は、エンボス機５４に送られてエンボスが形成される。エンボスが形成された吸収体３３の帯状物は、マットカッター５５に送られて、長さ４５０ｍｍの吸収体３３の裁断物に切断され、搬送路５６により送られ、取出される。
【００５３】
　本例においては、動物用シーツ用の吸収体を例に説明したが、他の吸収体の場合は、紙漉機等により、紙層が形成されて乾燥工程に移行する段階で、コーヒー豆の抽出液の濃縮液又はコーヒー豆の抽出残渣の抽出液の濃縮液が噴霧されて含浸される。コーヒー豆の抽出液の濃縮液又はコーヒー豆の抽出残渣の抽出液の濃縮液が含浸された紙層は、乾燥機内で高温で乾燥され、消毒されて吸収体用に提供される。この場合、コーヒー豆の抽出液の濃縮液に、複数種の茶殻抽出液の濃縮液を混合した混合濃縮液を使用して含浸させて乾燥することができる。このように各種の抽出液の濃縮液を混合することにより、より強力な微生物の増殖の抑制作用を発揮させることができる。
【産業上の利用可能性】
【００５４】
　　また、本発明においては、上面を形成する吸水性の第一のコーヒー豆の抽出液の濃縮液乾燥物含有衛生用紙部材と、該第一衛生用紙部材の下面に接して位置する吸水性材料粉及び吸水性樹脂が配合された吸水性層部と、該吸水性層部の下面に接して位置する吸水性の第二のコーヒー豆の抽出液の濃縮液乾燥物含有衛生用紙部材とを備えている。本発明の吸収体においては、前記第第一及び第二のコーヒー豆の抽出液の濃縮液乾燥物含有衛生用紙部材を含み、さらに、それらの間に配置される吸水性層部材も、コーヒー豆の抽出液の乾燥物又はコーヒー豆の抽出液の濃縮液の乾燥物を含むので、従来の吸収体、例えば、紙おむつ、動物用シーツなどに使用されている吸収体と比して、排泄した尿により、尿や体臭による汚臭を抑制することができ、例えば、愛玩用の動物用として、休養時、就寝時又は排泄時に使用して、周囲を良好な衛生状態に保っことができる。
【００５５】
　本発明においては、コーヒー豆の抽出液の濃縮液の乾燥物、コーヒー豆の抽出残渣の抽出液の濃縮液の乾燥物又はこれらの乾燥物を使用して、吸収体の使用時の細菌の増殖を抑制するので、細菌の増殖を、比較的少ない費用で行うことができ、しかも、大量に排出される茶殻や茶殻から滲出する茶殻残留排液を有効に利用することとができ、さらに、コーヒー豆の抽出残渣から、タンニン等が分離除去されるので、従来、残留廃液のタンニン等の成分により有効に使用することができなかったコーヒー豆の抽出残渣を、有効に活用することができ、活性汚泥処理等による処理を必要としないで済むこととなり、缶入り又はパック入りコーヒー等の飲料製造工場において、抽出残渣処理工程を省くことができる。
【図面の簡単な説明】
【００５６】
【図１】本発明の一実施例の衛生用紙の円網抄造方式による製造工程の概略を示す模式的工程図である。
【図２】本発明の一実施例のお茶乾燥物含有衛生用紙を使用した吸収体の説明図である。
【図３】本発明のお茶濃縮液乾燥物含有衛生用紙を使用する吸収体の他の一実施例の概略を示す概念図である。
【図４】本発明の図２に示す実施例の一実施例のお茶濃縮液乾燥物含有衛生用紙を使用する吸収体を製造する工程を示す、概略の製造工程図である。
【図５】本発明の図３に示す実施例のお茶濃縮液乾燥物含有衛生用紙を使用する吸収体を製造する工程を示す、概略の製造工程図である。
【符号の説明】
【００５７】
１　抄紙槽
２　円網
３　湿紙層
４　ワイヤパート側の第一毛布
５　クーチロール
６　湿紙
７　案内ロール
８　吸引箱
９　吸引箱
１０　プレスロール
１１　ピックアップロール
１２　案内ロール
１３　タッチロール
１４　ドライパート側の第二毛布
１５　ドライパート
１６　乾燥筒
１７　噴霧器
１８　噴霧箇所
１９　ワイヤパート側の第一清浄化工程
２０　複数の案内ロール
２１　複数対の洗浄液噴霧器
２２　複数の吸引箱
２３　対のプレスロール
２４　張力調整ロール
２５　ドライパート側の第二清浄化工程
２６　複数の案内ロール
２７　一対の洗浄液噴霧器
２８　ブラシロール
２９　洗浄水噴霧器
３０　吸引箱
３１　一対のプレスロール
３２　張力調整ロール
３３　吸収体
３４　衛生用紙部材
３５　衛生用紙部材
３６　吸水性層部材
３７　衛生用紙
３８　中間部コーヒー豆抽出液濃縮液乾燥物含有衛生用紙部材
３９１　上部吸水性層部材
３９２　下部吸水性層部材
４０　ロール
４１　下部コーヒー豆抽出液濃縮液乾燥物含有衛生用紙部材送り出しローラ
４２　綿状パルプ
４３　供給ローラ
４４　粉砕機
４５　綿状パルプ粉砕物
４６　お茶噴霧箇所
４７　お茶噴霧器
４８　高級水性樹脂
４９　散布箇所
５０　高吸水性樹脂散布機
５１　衛生用紙部材３４の供給箇所
５２　衛生用紙部材３４のロール
５３　供給ロール
５４　エンボス機
５５　マットカッター
５６　サイドシール機
５７　エンドシール機
５８　製品カッター
５９　搬送路
６０　中間部コーヒー豆抽出液濃縮液乾燥物含有衛生用紙部材３８の供給箇所
６１　中間部コーヒー豆抽出液濃縮液乾燥物含有衛生用紙部材３８のロール
６２　供給ロール
６３　折り畳み機
【図１】
2004137661.tif 000003
【図３】
2004137661.tif 000004
【図４】
2004137661.tif 000005
【図２】
2004137661.tif 000006
【図５】
2004137661.tif 000007